(57)【要約】【課題】  洗髪及び頭皮のマッサージを行う場合等に、ブラシ部によって優しく且つ効果的に頭皮のマッサージ及び洗浄を行うことができるブラシ装置を提供すること。【解決手段】  往復駆動手段６が設けられた駆動部たる本体２の外殻体４の枠体４Ｅに、可撓性を有する材質から成る基部16とこの基部16の面と交差するように基部16の外周部に設けられた複数の長突起18と、前記基部16の面と交差するように基部16の中間部に設けられた複数の中突起19と、前記基部16の面と交差するように基部16の中央部に設けられた複数の短突起20とから成るブラシ部３を、前記本体に対する位置関係が略固定された状体で着脱自在に保持させ、前記基部16が前記往復駆動手段６によってその面と直交する方向に繰り返し撓むように形成されていると共に、前記中突起19を前記長突起18よりも低く、且つ前記短突起20を前記中突起19よりも低く形成する。【選択図】図５
2006116222.tif 000002
【特許請求の範囲】
【請求項１】
駆動部と、この駆動部によって動作するブラシ部とを有するブラシ装置において、前記ブラシ部が、可撓性を有する材質から成る基部と、この基部の面に対して交差する方向に突出して設けられた複数の突起とで構成され、前記複数の突起が、前記基部の外周部に設けられた複数の長突起と、前記基部の中間部に設けられると共に前記長突起よりも低く形成された複数の中突起と、前記基部の中央部に設けられると共に前記長突起及び中突起よりも低く形成された複数の短突起とから成り、前記駆動部に、前記ブラシ部の基部の周縁を前記駆動部に対する位置関係が略固定された状態で着脱自在に保持する枠体を設けると共に、前記駆動部に、前記基部の面と交差する方向にこの基部を撓ませる往復駆動手段を設けたことを特徴とするブラシ装置。
【請求項２】
前記中突起を略錐状に形成したことを特徴とする請求項１記載のブラシ装置。
【請求項３】
前記長突起を略棒状に形成すると共に、全体として前記中突起の基端部よりも細く形成したことを特徴とする請求項１乃至２記載のブラシ装置。
【請求項４】
前記短突起を略棒状に形成すると共に、全体として前記中突起の基端部よりも細く形成したことを特徴とする請求項１乃至３記載のブラシ装置。
【発明の詳細な説明】
【技術分野】
【０００１】
本発明は、動力駆動のブラシ装置に関するものであり、特に人体の頭皮などを洗浄及びマッサージするためのブラシ装置に関するものである。
【背景技術】
【０００２】
従来、この種のブラシ装置としては、例えば、モータを内蔵したケーシングに弾性部材を介して振動ヘッドを取り付け、この振動ヘッド内に前記モータのモータ軸を突設させ、このモータ軸に振動子を偏心させた状態で取り付け、更に、前記振動ヘッドの一側面に柔軟物質から成るブラシを取り付けたマッサージ兼電動洗髪ブラシが知られている（例えば、特許文献１参照。）。このマッサージ兼電動洗髪ブラシにおいては、前記ブラシは円盤状に形成された基部としてのブラシ本体部と、該ブラシ本体部の一側面に多数突設された突起としての針状体片とから成る。そして、このマッサージ兼電動洗髪ブラシを使用する場合、使用者は、まずケーシングを把持して前記ブラシを頭部に押し当て、前記モータを作動させることで、前記振動ヘッドに内蔵されている振動子の偏心回転によって生じる振動が、前記振動ヘッド及びブラシを介して頭皮に伝達される。そして、前記ブラシは柔軟物質から構成されているので、頭皮を傷つけることなく毛穴の脂垢を取り除き、同時にマッサージを行うというものである。
【特許文献１】特開２００１−２５８９７４号公報
【発明の開示】
【発明が解決しようとする課題】
【０００３】
しかしながら、このようなブラシ装置は、洗髪時における頭皮のマッサージ等を行うとき、前記振動ヘッドに内蔵されている振動子の偏心回転によって生じる振動が、前記振動ヘッド及び柔軟物質から構成されている前記ブラシを介して頭皮に伝達されるというものであるが、前記ブラシは頭皮に対して単純に振動しているだけなので、頭皮のマッサージを充分に行うことができないばかりでなく、頭皮の汚れを充分落とすことができないという問題があった。
【０００４】
本発明は以上の問題点を解決し、洗髪及び頭皮のマッサージを行う場合等に、ブラシ部によって優しく且つ効果的に頭皮のマッサージ及び洗浄を行うことができるブラシ装置を提供することを目的とする。
【課題を解決するための手段】
【０００５】
本発明の請求項１に記載のブラシ装置は、駆動部と、この駆動部によって動作するブラシ部とを有するブラシ装置において、前記ブラシ部が、可撓性を有する材質から成る基部と、この基部の面に対して交差する方向に突出して設けられた複数の突起とで構成され、前記複数の突起が、前記基部の外周部に設けられた複数の長突起と、前記基部の中間部に設けられると共に前記長突起よりも低く形成された複数の中突起と、前記基部の中央部に設けられると共に前記長突起及び中突起よりも低く形成された複数の短突起とから成り、前記駆動部に、前記ブラシ部の基部の周縁を前記駆動部に対する位置関係が略固定された状態で着脱自在に保持する枠体を設けると共に、前記駆動部に、前記基部の面と交差する方向にこの基部を撓ませる往復駆動手段を設けたものである。
【０００６】
また、本発明の請求項２に記載のブラシ装置は、請求項１において、前記中突起を略錐状に形成したものである。
【０００７】
また、本発明の請求項３に記載のブラシ装置は、請求項１乃至２において、前記長突起を略棒状に形成すると共に、全体として前記中突起の基端部よりも細く形成したものである。
【０００８】
更に、本発明の請求項４に記載のブラシ装置は、請求項１乃至３において、前記短突起を略棒状に形成すると共に、全体として前記中突起の基端部よりも細く形成したものである。
【発明の効果】
【０００９】
本発明の請求項１に記載のブラシ装置は、以上のように構成することにより、前記ブラシ部の基部の周縁が前記枠体によって保持された状態で、前記基部の中央部を、往復駆動手段によって前記基部の面と交差する方向に撓ませることで、前記複数の突起を繰り返し相互に開閉させることにより、これらの突起を頭皮に当てることで、頭皮を効果的に洗浄したりマッサージしたりすることができる。そしてこの際、前記突起のうち外周部に設けられた長突起が高く形成されていることで、前記基部の撓み状態によらず前記長突起が頭皮に常に接するので、この長突起によって頭皮が掴まれるように洗浄及びマッサージされる。また、前記突起のうち中間部に設けられた中突起が前記長突起よりも低く形成されていることで、前記中突起の先端が常に頭皮に対して接するように前記ブラシ部を頭皮に押し付けた場合、この中突起の先端が頭皮を摩擦するように動くので、この中突起によって頭皮が擦られるように洗浄及びマッサージされる。更に、前記突起のうち中央部に設けられた短突起が前記長突起及び中突起よりも低く形成されていることで、前記短突起が前記基部の撓み状態によって頭皮に対して接離を繰り返すので、この短突起によって頭皮が叩かれるように洗浄及びマッサージされる。
【００１０】
また、本発明の請求項２に記載のブラシ装置は、以上のように構成することにより、中突起が首振り方向に撓みにくくなることで、頭皮に対してより良好に擦るような刺激を与えることができる。
【００１１】
また、本発明の請求項３に記載のブラシ装置は、以上のように構成することにより、長突起が中突起に比べて撓みやすくなることで、頭皮に対してより良好に掴むような刺激を与えることができる。
【００１２】
更に、本発明の請求項４に記載のブラシ装置は、以上のように構成することにより、前記短突起の基端部が前記基部の撓みを妨げないようにすることができるばかりでなく、前記短突起が頭皮に当たった際に撓むことで、頭皮に必要以上の刺激を与えないようにして痛さを感じさせないようにすることができる。
【発明を実施するための最良の形態】
【００１３】
以下、本発明の実施例について、図１乃至図５に基づいて説明する。なお、本例では、図１乃至図３の姿勢を基準として前後上下左右を規定する。１は本発明のブラシ装置である。このブラシ装置１は、駆動部たる本体２と、この本体２に対して着脱自在に保持されるブラシ部３とで構成されている。
【００１４】
前記本体２は、合成樹脂等によって構成される外殻体４に、図示しない二次電池と、同じく図示しない制御回路と、これらの二次電池及び制御回路によって作動させられる電動機５と、この電動機５の駆動軸５Ａの回転を往復運動に変換する往復駆動手段６とを収容して構成されている。そして、前記外殻体４は、頭部７と把持部８を有しており、この把持部８の外部がカバー体９で覆われていると共に、前記把持部８の正面側にスイッチ操作部10が設けられている。また、前記電動機５は、第一の保持フレーム11に保持されていると共に、この第一の保持フレーム11の上端から前記電動機５の駆動軸５Ａが突出している。また、前記往復駆動手段６は、前方に開口部12Ａを有する第二の保持フレーム12に対して保持されていると共に、この第二の保持フレーム12に対して、前記第一の保持フレーム11が取り付けられている。そして、このように前記第一の保持フレーム11が第二の保持フレーム12に固定された状態において、前記第一の保持フレーム11に保持された電動機５の駆動軸５Ａに取り付けられた図示しない歯車は、前記往復駆動手段６の入力側の歯車６Ａと噛み合う。これによって、前記電動機５の回転が前記往復駆動手段６に伝達可能に構成されている。そして、前記電動機５から伝達された回転は、前記往復駆動手段６の複数の歯車によって減速されると共に、この減速された回転を往復運動に変換して、往復部材６Ｂを前後方向（図３における左右方向）に往復運動させるように構成されている。更に、前記第二の保持フレーム12は、前記外殻体４における後外殻体４Ａに対してビス等で固定されている。そして、前記開口部12Ａは、合成ゴム等でダイヤフラム状に形成された防水膜13によって閉塞されている。そして、この防水膜13の外周部分13Ａを、前記開口部12Ａの開口縁12Ｂと、開口部４Ｃを有する前外殻体４Ｂの開口縁４Ｄとで挟持し、ビス等で締め付け固定することで、前記外殻体４に対して水密に固定される。また、前記防水膜13の中央部分13Ｂは、前記往復部材６Ｂとフック保持体14とで挟持された状態でビス等で締め付け固定することで、前記往復部材６Ｂとフック保持体14の間で水密に保持されている。更に、前記フック保持体14には、金属製の線材等を曲げて形成したフック15が取り付けられている。そして、前記電動機５を作動させることで、前記往復駆動手段６の往復部材６が前後方向に往復動し、これに伴ってダイヤフラム状の防水膜13が撓むと共に、前記フック保持体14に取り付けられたフック15が前後方向に往復動するように構成されている。なお、前記前外殻体４Ｂの開口縁４Ｄの周囲には、この開口縁４Ｄを囲むように枠体４Ｅが前方に突出して略楕円状に形成されていると共に、この枠体４Ｅの全周に亘って、この枠体４Ｅの外側に突出した係止受部４Ｆが形成されている。
【００１５】
前記ブラシ部３は、可撓性を有する合成樹脂等によって一体に形成されている。そして、前記ブラシ部３は、基部16と、この基部16に設けられた複数の突起17とで構成されている。前記基部16は、正面から見て略楕円状であると共に、中央が前方に滑らかに膨らんだ形状に形成されている。また、前記基部16は、その外周から後方にリブ16Ａが全周にわたって一体に形成されていると共に、このリブ16Ａの内側に、前記係止受部４Ｆと係合する係止部16Ｂが形成されている。また、前記基部16の上端及び下端には、前記ブラシ部３を前記本体２に対して着脱する際に摘むための摘み部16Ｃが形成されている。更に、前記基部16の裏面には、その中央に上下方向に延びた溝16Ｄが形成されていると共に、中心部に前記フック15を受けるフック受部16Ｅが形成されている。また、前記突起17は、前記基部16の外周部に形成された複数の長突起18と、この長突起18の内側である前記基部16の中間部に環列状に形成された複数の中突起19と、この中突起19の内側である前記基部16の中央部に環列状に形成された複数の短突起20とで構成されている。そして、図４（ａ）に示すように、前記基部16が撓んでいない状態において、前記長突起18の高さが最も高く、前記中突起の高さが中程度で、前記短突起20の高さが最も低い。そして、これらの突起17の先端を結ぶと、凹曲面状となる。また、前記長突起18及び短突起20は、先端側がやや細くなった略棒状に形成されていると共に、その先端が丸く形成されている。また、前記中突起19は、先端側が細く且つ基端側が太くなった略円錐状に形成されている。そして、この中突起19の先端は、前記長突起18及び短突起20の先端よりも細く形成されていると共に、前記中突起19の基端は、前記長突起18及び短突起20の基端よりも太く形成されている。これによって、前記中突起19は外力によって撓むものの、前記長突起18よりは撓みにくいように形成されている。なお、図２乃至図５において、全ての前記突起17を記載してしまうと、線が入り組んで複雑になることで説明が困難となってしまう虞があるため、図２においては、前記突起17のうち、前記基部16の最外周部に形成された長突起18のみを、図３においては、断面となる長突起18のみを、図４及び図５においては、動作の説明に最低限必要な突起17のみを記載し、その他の突起17は省略した。
【００１６】
次に、本実施形態の作用について説明する。まず、使用者は、前記ブラシ部３を把持し、このブラシ部３の基部16の裏面に形成されたフック受部16Ｅを前記本体２の前外殻体４Ｂの開口部４Ｃ内で露出した前記フック15に掛けた後、前記係止部16Ｂを前記係止受部４Ｆに係合させることで、前記ブラシ部３を前記本体２に対して取り付ける。そして、このように前記ブラシ部３が前記本体２に取り付けられた状態で、使用者が前記把持部８を把持し、前記スイッチ操作部10を操作することで、前記電動機５が作動して前記駆動軸５Ａが回転する。そして、この駆動軸５Ａの回転運動が、前記往復駆動手段６によって減速された後往復運動に変換されることで、前記往復駆動手段６の往復部材６Ｂ、ひいてはこの往復部材６Ｂに取り付けられたフック保持体14及びフック15は前後方向に往復動する。なお、前記前外殻体４Ｂの開口部４Ｃは前記防水膜13によって封止されているため、前記開口部４Ｃから前記本体２内に水が侵入することが防止される。また、前記防水膜13は合成ゴム等によってダイヤフラム状に形成されているため、前記往復部材６Ｂ及びフック保持体14の往復運動に従動して撓むことで、前記開口部４Ｃの封止状態を保つことができる。そして、前記フック15が前後方向に往復動することで、このフック15に掛けられた前記フック受部16Ｅを有するブラシ部３の基部16の中央部も前後方向に往復動することになる。このとき、前記基部16の外周縁に形成された前記係止部16Ｂが前記係止受部４Ｆに係合していることで、前記基部16の外周縁が前記本体２に対して位置関係が略固定されているので、前記基部16の中央部が前後方向に往復動したとしても、前記基部16の外周縁が動かないことで、前記基部16は図４の（ａ）と（ｂ）の状態の間で、この基部16の面方向に対して直交する方向に繰り返し撓むことになる。なお、このとき、前記基部16が撓むことで、この基部16に一体に形成された突起17も動くことになる。具体的には、無負荷の状態において、前記各突起17は、前記基部16が最も突出した図４（ａ）の状態において、全体として先端が広がった状態（開いた状態）であると共に、前記基部16が最も凹んだ図４（ｂ）の状態において、全体として先端が狭まった状態（閉じた状態）となる。なお、前記基部16は、その裏面に前記溝16Ｄが形成されており、この溝16Ｄが形成された位置が撓みの起点となることで、より撓みやすくなっている。
【００１７】
そして、このように動作する突起17を人体の頭皮Ｈ等に押し当てて洗髪などを行うと、図５のように動作することになる。即ち、前記基部16が最も突出した図５（ａ）の状態において、前記各突起17の先端を結ぶと凹曲面状となり、この状態で前記各突起17の先端を凸曲面状の頭皮Ｈ等に押し当てると、前記各突起17が殆ど撓むことなく、その先端が頭皮Ｈに当接した状態となる。そして、前記基部16が前記往復駆動手段６によって引き込まれて凹むと、図５（ｂ）に示す状態となる。即ち、前記各突起17のうち、前記長突起18よりも短く撓みにくい前記中突起19は、その先端が常に頭皮Ｈに対して接するように押し付けた場合、図５（ａ）の状態から（ｂ）の状態にかけて、首振り方向に僅かに撓むものの、先端が頭皮Ｈを摩擦するように動くので、この中突起19によって頭皮Ｈが擦られるように洗浄及びマッサージされる。特に、本例においては、前記中突起19の先端が比較的細く且つその基端が比較的太い円錐状に形成されていることで、より撓み難くなっているばかりでなく、刺激を与える先端が先鋭状であるので、前記中突起19によって、頭皮Ｈは擦られるような、或いは掻かれるような刺激を受けて良好に洗浄及びマッサージされる。また、前記中突起19よりも長く撓みやすい前記長突起18は、その先端が頭皮Ｈに対して接するように押し付けた場合、図５（ａ）の状態から（ｂ）の状態にかけて、首振り方向に大きく撓むことになる。そしてこの時、前記長突起18の先端からやや基端寄りの部分までが前記頭皮Ｈと接すると共に、撓んだ状態の前記長突起18に復元力が働くことで、前記頭皮Ｈが掴まれるような刺激を受けて洗浄及びマッサージされる。特に、本例においては、前記長突起18の先端が比較的太く且つその基端が比較的細い略棒状に形成されていることで、より撓み易くなっているので、撓んだ状態における頭皮Ｈに対する接触面積がより大きくなり、頭皮Ｈは掴むような刺激を受けて良好に洗浄及びマッサージされる。また、前記長突起18が撓みやすくなっていることで、前記中突起19がより確実に常時頭皮Ｈに接し続けることができ、これによって、前記中突起19による刺激を頭皮Ｈに対して常に与え続けることができる。更に、前記中突起19よりも短い前記短突起20は、図５（ａ）の状態で頭皮Ｈに接している状態であっても、図５（ｂ）の状態においては頭皮Ｈに対して離間している。これは、図５（ｂ）の状態において、前記中突起19の先端と前記短突起20の先端とを結んだ凹曲面の曲率が頭皮Ｈの曲率よりも大きくなるためである。そして、これは特に、本例において前記中突起19がより撓みにくくなっていることも、前記短突起20が頭皮Ｈに対して接離を繰り返すことを助長している。そして、前記短突起20が頭皮Ｈに対して接離を繰り返すことで、頭皮Ｈは前記短突起20によって叩かれるように洗浄及びマッサージされる。特に、本例においては、前記短突起20の先端が比較的太く且つその基端が比較的細い略棒状に形成されていることで、より撓み易くなっているので、前記短突起20が頭皮に当たった際に撓むことで、頭皮Ｈに必要以上の刺激を与えないようにして痛さを感じさせないようにすることができるばかりでなく、前記短突起20の基端が比較的細くなっていることで、この短突起20の基端部が前記��部16の撓みを妨げないようにすることができる。
このように、前記各突起17を構成する長突起18、中突起19及び短突起20がそれぞれ異なった刺激を頭皮Ｈに与えることで、頭皮Ｈに対してより良好なマッサージ及び洗浄を行うことができる。
【００１８】
なお、前記ブラシ部３は、使用を繰り返すことによって汚れたり破損したりするので、適宜交換する必要が生じる。そして、このブラシ部３を前記本体２から取り外す場合、使用者が前記摘み部16Ｃを摘み、前方に引くことで、前記係止部16Ｂが係止受部４Ｆから外れる。このように前記係止部16Ｂが係止受部４Ｆから外れた後、前記ブラシ部３を上方に引き上げることで、前記ブラシ部３が前記本体２から外れる。そして、新たなブラシ部３或いは洗浄されたブラシ部３を、前述した手順によって本体２に取り付けることで、再度前記ブラシ装置１の使用が可能になる。
【００１９】
以上のように本発明は、往復駆動手段６が設けられた駆動部たる本体２の外殻体４の枠体４Ｅに、可撓性を有する材質から成る基部16とこの基部16の面と交差するように基部16の外周部に設けられた複数の長突起18と、前記基部16の面と交差するように基部16の中間部に設けられた複数の中突起19と、前記基部16の面と交差するように基部16の中央部に設けられた複数の短突起20とから成るブラシ部３を、前記本体に対する位置関係が略固定された状体で着脱自在に保持させ、前記基部16が前記往復駆動手段６によってその面と直交する方向に繰り返し撓むように形成されていると共に、前記中突起19を前記長突起18よりも低く、且つ前記短突起20を前記中突起19よりも低く形成したことで、前記往復駆動手段６による前記ブラシ部３の基部16の撓みに伴って、複数の突起17を繰り返し相互に開閉させることにより、前記長突起18によって頭皮Ｈが掴まれるように、前記中突起19によって頭皮Ｈが擦られるように、前記短突起20によって頭皮Ｈが叩かれるように洗浄及びマッサージされるものである。また本発明は、前記中突起19を略錐状に形成したことで、この中突起19が首振り方向に撓みにくくなり、頭皮Ｈに対してより良好に擦るような刺激を与えることができるものである。また本発明は、前記長突起18を略棒状に形成すると共に、全体として前記中突起19の基端部よりも細く形成したことで、前記長突起18が中突起19に比べて撓みやすくなり、頭皮Ｈに対してより良好に掴むような刺激を与えることができるものである。更に本発明は、前記短突起20を略棒状に形成すると共に、全体として前記中突起19の基端部よりも細く形成したことで、前記短突起20の基端部が前記基部16の撓みを妨げないようにすることができるばかりでなく、前記短突起20が頭皮Ｈに当たった際に撓むことで、頭皮Ｈに必要以上の刺激を与えないようにして痛さを感じさせないようにすることができるものである。
【００２０】
なお、本発明は以上の実施形態に限定されるものではなく、発明の要旨の範囲内で種々の変形が可能である。例えば、上記実施形態では、前記ブラシ部は基部と突起とを一体に形成したが、基部と突起とを別体で構成し、それぞれ互いに異なる材質で形成するようにしても良い。
【図面の簡単な説明】
【００２１】
【図１】本発明の一実施例を示すブラシ装置の正面図である。
【図２】同上、右側面図である。
【図３】同上、右側方から見た一部断面図である。
【図４】同上、無負荷状態における動作説明図であり、（ａ）は基部が最も突出した状態、（ｂ）は基部が最も引き込まれた状態である。
【図５】同上、有負荷状態における動作説明図であり、（ａ）は基部が最も突出した状態、（ｂ）は基部が最も引き込まれた状態である。
【符号の説明】
【００２２】
１  ブラシ装置
２  本体（駆動部）
３  ブラシ部
４Ｅ  枠体
６  往復駆動手段
16  基部
17  突起
18  長突起
19  中突起
20  短突起
【図１】
2006116222.tif 000003
【図２】
2006116222.tif 000004
【図３】
2006116222.tif 000005
【図４】
2006116222.tif 000006
【図５】
2006116222.tif 000007
【手続補正書】
【提出日】平成17年10月24日(2005.10.24)
【手続補正１】
【補正対象書類名】明細書
【補正対象項目名】００１７
【補正方法】変更
【補正の内容】
【００１７】
そして、このように動作する突起17を人体の頭皮Ｈ等に押し当てて洗髪などを行うと、図５のように動作することになる。即ち、前記基部16が最も突出した図５（ａ）の状態において、前記各突起17の先端を結ぶと凹曲面状となり、この状態で前記各突起17の先端を凸曲面状の頭皮Ｈ等に押し当てると、前記各突起17が殆ど撓むことなく、その先端が頭皮Ｈに当接した状態となる。そして、前記基部16が前記往復駆動手段６によって引き込まれて凹むと、図５（ｂ）に示す状態となる。即ち、前記各突起17のうち、前記長突起18よりも短く撓みにくい前記中突起19は、その先端が常に頭皮Ｈに対して接するように押し付けた場合、図５（ａ）の状態から（ｂ）の状態にかけて、首振り方向に僅かに撓むものの、先端が頭皮Ｈを摩擦するように動くので、この中突起19によって頭皮Ｈが擦られるように洗浄及びマッサージされる。特に、本例においては、前記中突起19の先端が比較的細く且つその基端が比較的太い円錐状に形成されていることで、より撓み難くなっているばかりでなく、刺激を与える先端が先鋭状であるので、前記中突起19によって、頭皮Ｈは擦られるような、或いは掻かれるような刺激を受けて良好に洗浄及びマッサージされる。また、前記中突起19よりも長く撓みやすい前記長突起18は、その先端が頭皮Ｈに対して接するように押し付けた場合、図５（ａ）の状態から（ｂ）の状態にかけて、首振り方向に大きく撓むことになる。そしてこの時、前記長突起18の先端からやや基端寄りの部分までが前記頭皮Ｈと接すると共に、撓んだ状態の前記長突起18に復元力が働くことで、前記頭皮Ｈが掴まれるような刺激を受けて洗浄及びマッサージされる。特に、本例においては、前記長突起18の先端が比較的太く且つその基端が比較的細い略棒状に形成されていることで、より撓み易くなっているので、撓んだ状態における頭皮Ｈに対する接触面積がより大きくなり、頭皮Ｈは掴むような刺激を受けて良好に洗浄及びマッサージされる。また、前記長突起18が撓みやすくなっていることで、前記中突起19がより確実に常時頭皮Ｈに接し続けることができ、これによって、前記中突起19による刺激を頭皮Ｈに対して常に与え続けることができる。更に、前記中突起19よりも短い前記短突起20は、図５（ａ）の状態で頭皮Ｈに接している状態であっても、図５（ｂ）の状態においては頭皮Ｈに対して離間している。これは、図５（ｂ）の状態において、前記中突起19の先端と前記短突起20の先端とを結んだ凹曲面の曲率が頭皮Ｈの曲率よりも大きくなるためである。そして、これは特に、本例において前記中突起19がより撓みにくくなっていることも、前記短突起20が頭皮Ｈに対して接離を繰り返すことを助長している。そして、前記短突起20が頭皮Ｈに対して接離を繰り返すことで、頭皮Ｈは前記短突起20によって叩かれるように洗浄及びマッサージされる。特に、本例においては、前記短突起20の先端が比較的太く且つその基端が比較的細い略棒状に形成されていることで、より撓み易くなっているので、前記短突起20が頭皮に当たった際に撓むことで、頭皮Ｈに必要以上の刺激を与えないようにして痛さを感じさせないようにすることができるばかりでなく、前記短突起20の基端が比較的細くなっていることで、この短突起20の基端部が前記��部16の撓みを妨げないようにすることができる。このように、前記各突起17を構成する長突起18、中突起19及び短突起20がそれぞれ異なった刺激を頭皮Ｈに与えることで、頭皮Ｈに対してより良好なマッサージ及び洗浄を行うことができる。